(57)【特許請求の範囲】
【請求項１】
調圧ポート（７）を開閉する弁体（１５）を有する調圧弁（１１）と、前記弁体（１５）を付勢部材（１７）を介して閉方向に押圧する回動操作部材（５０）と、を備えると共に、該回動操作部材（５０）は、前記弁体（１５）に対する押圧作用面（６１、６２、６３）を持つ偏心カム（５５）を備え、該偏心カム（５５）を回動軸線（Ｏ−Ｏ）の回りに回動させて前記弁体（１５）に対する前記押圧作用面（６１、６２、６３）の押圧作用点（Ｐ）の位置を周方向で変えることにより、前記調圧弁（１１）の調圧値を複数段階に調節できる調圧装置（１０）であって、
前記押圧作用面（６１、６２、６３）は、前記回動軸線（Ｏ−Ｏ）に沿う方向に勾配が付けられている凹溝で、前記偏心カム（５５）は、前記回動軸線（Ｏ−Ｏ）に沿う方向に移動可能とされ、該偏心カム（５５）を前記回動軸線（Ｏ−Ｏ）に沿う方向に移動させて前記押圧作用面（６１、６２、６３）の前記押圧作用点（Ｐ）の位置を前記回動軸線（Ｏ−Ｏ）に沿う方向に変えることによって、前記調圧弁（１１）の調圧値を微調節することを特徴とする調圧装置。
【請求項２】
前記付勢部材（１７）と前記回動操作部材（５０）の前記偏心カム（５５）との間に摺動子（３０）が配在され、該摺動子（３０）と前記偏心カム（５５）との当接部が、前記押圧作用点（Ｐ）とされていることを特徴とする請求項１に記載の調圧装置。
【請求項３】
前記押圧作用面の前記凹溝（６１、６２、６３）は、前記摺動子（３０）の先端部（３２）が摺動自在に嵌合するように形成されていることを特徴とする請求項２に記載の調圧装置。
【請求項４】
前記回動操作部材（５０）に、前記回動軸線（Ｏ−Ｏ）を中心線とする雌ねじ部（５６）が形成され、該雌ねじ部（５６）が、固定側部材（２０）に回動自在に支持されたボルト状の回動軸部材（４０）の雄ねじ部（４３）に螺合せしめられていることを特徴とする請求項１から３のいずれか一項に記載の調圧装置。
【発明の詳細な説明】
【０００１】
【発明の属する技術分野】
本発明は、ポンプの吐出圧等を調整する調圧弁の調圧値を複数段階に調節できるようにされた調圧装置に関する。
【０００２】
【従来の技術】
この種の調圧装置の従来例を、図４、図５を参照しながら説明する。
図示従来例の調圧装置１０’は、携帯型動力噴霧機等に使用される薬液ポンプ２の吐出ポートより下流側の分岐通路部５に設けられた余液ポート（調圧ポート）７を開閉して前記薬液ポンプ２の吐出圧を調整する調圧弁１１を備えている。
【０００３】
該調圧弁１１は、前記分岐通路部５に固着された、ばね収容孔２２や液戻しポート２５等が設けられた固定側部材である弁ケース部材２０と、該弁ケース部材２０の前記余液ポート７側の端部（前記余液ポート７の外端部）に配設された弁座１２、及び内周部に複数の通路部１４が形成された弁ホルダ１３と、前記弁座１２に離接して前記余液ポート７を開閉する弁体１５と、該弁体１５を前記弁座１２に押圧する方向、言い換えれば、前記余液ポート７を閉じる方向に付勢する付勢部材である圧縮コイルばね１７と、を備えている。
【０００４】
該圧縮コイルばね１７の一端部１７ａは、前記弁体１５に係止され、その他端部１７ｂは、前記弁ケース部材２０の前記余液ポート７とは反対側に設けられた支持孔２４に摺動自在に嵌挿された摺動子３０の後端鍔状部３１に係止されている。したがって、前記弁体１５と前記摺動子３０とは、共通の作動軸線Ｘ−Ｘ上で互いに逆方向に付勢されている。
【０００５】
前記弁ケース部材２０の前記余液ポート７とは反対側の端部には、有底円筒状の保持ケース部２７が設けられ、この保持ケース部２７に、回動操作部材７０が回動可能に保持されている。ここでは、前記作動軸線Ｘ−Ｘに対して前記回動操作部材７０の回動軸線Ｏ−Ｏが直交するようにされている。
【０００６】
前記回動操作部材７０は、鍔付き円盤状の本体部７１と、該本体部７１の下側に、前記回動軸線Ｏ−Ｏに対して偏心して一体的に連設された偏心カム７５と、該偏心カム７５の下側に一体的に連設された回動軸部７６と、前記本体部７１の外周に一体に設けられた操作レバー７７と、からなっており、前記回動軸部７６が、前記保持ケース部２７の底壁部２７ａに設けられた軸受穴２９に回動自在に挿入されている。また、前記回動軸部７６の下部には、Ｅリング（軸用止め輪）７２が装着され、該Ｅリング７２と前記偏心カム７５とで前記保持ケース部２７の前記底壁部２７ａを挟むようにして、前記回動操作部材７０の前記回動軸線Ｏ−Ｏに沿う方向の抜け止め及び位置規制がなされている。
【０００７】
そして、前記偏心カム７５には、そのカム面となる外周面の前記摺動子３０側部分に、前記回動軸線Ｏ−Ｏと平行に前記摺動子３０の半球状先端部３２が嵌合する、断面三日月乃至半月状の深さが互いに異なる凹溝８１、８２、８３が三つ押圧作用面として形成されている。該各凹溝８１、８２、８３は、それぞれ前記回動軸線Ｏ−Ｏからの距離が段階的に短くなる位置に形成されており、それら凹溝８１、８２、８３のうちのいずれに前記摺動子３０を押し当てるかによって、言い換えれば、前記回動操作部材５０を回動させて前記弁体１５に対する押圧作用点Ｐの位置を周方向で変えることによって、前記調圧弁１１の調圧値を三段階に調節できるようにされている。
なお、前記圧縮コイルばね１７、前記摺動子３０、及び前記各凹溝６１、６２、６３で、クリックストップ機構が構成される。
【０００８】
【発明が解決しようとする課題】
前記の如くの構成とされた従来例の調圧装置１０’においては、次のような問題があった。
すなわち、前記調圧装置１０’では、その製造時の加工誤差、組立誤差等に起因して、あるいは、製造後のユーザー使用時におけるばねのへたりや摩耗等の経年変化に起因して、前記調圧弁１１の調圧値が設定値（基準値）からずれる場合が生じる。
【０００９】
このように、前記調圧弁１１の調圧値が設定値からずれた場合、従来においては、前記圧縮コイルばね１７の前記摺動子３０側の前記端部１７ｂと前記摺動子３０の前記鍔状部３１との間に、スペーサを挿入する等、あるいは、装置全体又は前記圧縮コイルばね１７等の部品を消耗部品と見做して新しいものに交換する、等の対策が採られていた。
【００１０】
しかしながら、前記のようにスペーサを挿入したり、圧縮コイルばね等の部品を交換する等の対策では、装置を一度分解し、スペーサの挿入や部品を交換した後、再組立し、再度、前記調圧値が設定値になるかどうかを確認しなければならず、手間がかかり、面倒であった。
【００１１】
また、スペーサを挿入するという対策では、圧縮コイルばねのばね力が弱くなったとき（へたり等）には対応可能であるが、そのばね力が強すぎる場合には対応できない。また、装置全体あるいは部品を交換するという対策では、当然、その分費用がかかり、良策ではない。
【００１２】
本発明は、前記した如くの問題に鑑みてなされたもので、その目的とするところは、製造時の加工誤差、組立誤差、あるいは使用時の経年変化等に起因して、調圧弁の調圧値が設定値からずれても、分解、再組立等を必要とすることなく、容易に調節することができるようにされた調圧装置を提供することにある。
【００１３】
【課題を解決するための手段】
前記目的を達成すべく、本発明に係る調圧装置は、基本的には、調圧ポートを開閉する弁体を有する調圧弁と、前記弁体を付勢部材を介して閉方向に押圧する回動操作部材と、を備えると共に、該回動操作部材は、前記弁体に対する押圧作用面を持つ偏心カムを備え、該偏心カムを回動軸線の回りに回動させて前記弁体に対する前記押圧作用面の押圧作用点の位置を周方向で変えることにより、前記調圧弁の調圧値を複数段階に調節できる調圧装置であって、前記押圧作用面は、前記回動軸線に沿う方向に勾配が付けられている凹溝で、前記偏心カムは、前記回動軸線に沿う方向に移動可能とされ、該偏心カムを前記回動軸線に沿う方向に移動させて前記押圧作用面の前記押圧作用点の位置を前記回動軸線に沿う方向に変えることによって、前記調圧弁の調圧値を微調節することを特徴としている。
【００１５】
好ましい態様では、前記付勢部材と前記回動操作部材の前記偏心カムとの間に摺動子が配在され、該摺動子と前記偏心カムとの当接部が、前記押圧作用点とされる。
【００１６】
前記押圧作用面の凹溝は、好ましくは、前記摺動子の先端部が摺動自在に嵌合するように形成される。
また、他のより具体的な好ましい態様では、前記回動操作部材に、前記回動軸線を中心線とする雌ねじ部が形成され、該雌ねじ部が、固定側部材に回動自在に支持されたボルト状の回動軸部材の雄ねじ部に螺合せしめられる。
【００１７】
前記の如くの構成とされた本発明に係る調圧装置の好ましい態様においては、前記回動操作部材を回動させて前記弁体に対する押圧作用点の位置を周方向で変えることにより、前記調圧弁の調圧値を複数段階に調節できるようにされる。
【００１８】
それに加えて、前記回動操作部材における前記弁体に対する押圧作用面とされる、例えば、三本の凹溝に、前記回動操作部材の回動軸線に沿う方向に勾配が付けられているので、前記押圧作用点の位置を、前記凹溝内で前記回動軸線に沿う方向に移動させることによって、前記弁体に対する押圧力が変わり、これによって、前記調圧弁の調圧値を微調節できる。
【００１９】
このようにされることにより、製造時の加工誤差、組立誤差あるいは使用時の経年変化等に起因して、調圧弁の調圧値が設定値からずれても、分解、再組立等を必要とすることなく、調圧弁の調圧値が本来の設定値となるように、容易に調節することができる。
【００２０】
【発明の実施の形態】
以下、本発明の実施形態を図面を参照しながら説明する。
図１は、本発明に係る調圧装置の一実施形態を示す断面図、図２は、図１のII−II矢視断面図である。
【００２１】
図１、図２に示される本実施形態の調圧装置１０において、前述した図４、図５に示される従来例の調圧装置１０’の各部に対応する部分には同一の符号を付して、それらの重複説明を省略し、以下においては、相違点を重点的に説明する。
【００２２】
図示実施形態の調圧装置１０では、回動操作部材５０は、図１、図２に加えて図３を参照すればよくわかるように、外周一部切欠筒状部５３及び中心凹部５４付きの凹字状断面を有する本体部５１と、該本体部５１の下側に、前記回動軸線Ｏ−Ｏに対して偏心して一体的に連設された偏心カム５５と、前記本体部５１の前記切欠筒状部５３に一体に設けられた操作レバー５７と、からなっている。また、前記回動操作部材５０には、その回動軸線Ｏ−Ｏを中心線とする雌ねじ部５６が形成され、該雌ねじ部５６が、前記弁ケース部材２０の保持ケース部２７の底壁部２７ａに回動自在に支持されたボルト状の回動軸部材４０の雄ねじ部４３に螺合せしめられている。
【００２３】
詳細には、前記回動軸部材４０は、六角ボルト状頭部４１と、前記保持ケース部２７の前記底壁部２７ａに設けられた軸受穴２９に回動自在に挿入された回動軸部４２と、前記雄ねじ部４３と、からなっている。前記回動軸部４２の上部には、Ｅリング（軸用止め輪）４５が装着され、該Ｅリング７２と前記頭部４１とで前記保持ケース部２７の前記底壁部２７ａを挟むようにして、前記回動軸部材５０の前記回動軸線Ｏ−Ｏに沿う方向の抜け止め及び位置規制がなされている。また、前記雄ねじ部４３における前記回動操作部材５０の上側に、形成された前記中心凹部５４内に突出した上端部に、前記回動操作部材５０と合わせてダブルナットを構成する座金付きロックナット４７が螺合せしめられ、前記回動操作部材５０は、前記回動軸部材４０に対して前記ロックナット４７により一体的に固着され、前記回動軸線Ｏ−Ｏに沿う方向の位置規制がなされている。
【００２４】
そして、前記偏心カム５５には、そのカム面となる外周面の前記摺動子３０側部分に、前記摺動子３０の半球状先端部３２が摺動自在に嵌合する断面三日月乃至半月状の凹溝６１、６２、６３が三本形成されている。該各凹溝６１、６２、６３は、それぞれ前記回動軸線Ｏ−Ｏからの距離が段階的に短くなる位置に形成されており、それら凹溝６１、６２、６３のうちのいずれに前記摺動子３０を押し当てるかによって、言い換えれば、前記回動操作部材５０を回動させて前記弁体１５に対する押圧作用点Ｐの位置を周方向で変えることによって、前記調圧弁１１の調圧値を三段階に調節できるようにされている。
【００２５】
かかる構成に加え、本実施形態では、前記各凹溝６１、６２、６３が、前記回動操作部材５０における前記弁体１５に対する押圧作用面６１、６２、６３とされ、それら凹溝６１、６２、６３にそれぞれ前記回動軸線Ｏ−Ｏに沿う方向に勾配が付けられている。
【００２６】
具体的には、図３（Ｂ）に、前記凹溝６１、６２、６３のうちの中間の凹溝６２が代表して示されているように、該凹溝６２（の底面）は、前記本体部５１側の端部では、前記回転軸線Ｏ−Ｏからの距離がＬａであるのに対し、先端部（下端部）では、前記ＬａよりΔＬだけ短いＬｂとなっている。他の凹溝６１、６３についても同様である。
【００２７】
このような構成とされた本実施形態の調圧装置１０においては、前記回動操作部材５０を、前記回動軸部材４０と一体に回動させて、前記弁体１５に対する前記押圧作用点Ｐの位置を前記凹溝６１、６２、６３のいずれかに選択する、つまり、周方向で変えることにより、前記調圧弁１１の調圧値を三段階に調節できる。
【００２８】
それに加えて、前記回動操作部材５０における前記弁体１５に対する押圧作用面とされる三本の前記凹溝６１、６２、６３に、前記回動操作部材５０の前記回動軸線Ｏ−Ｏに対して勾配が付けられているので、前記回動操作部材５０及び前記ロックナット４７を回して、前記回動操作部材５０を前記回動軸線Ｏ−Ｏに沿って移動させて、前記押圧作用点Ｐの位置を、前記各凹溝６１、６２、６３内で前記回動軸線Ｏ−Ｏに沿う方向に移動させれば、前記弁体１５に対する押圧力が変わり、これによって、前記調圧弁１１の調圧値を微調節できる。
【００２９】
以上、本発明の一実施形態について詳細に述べたが、本発明は前記実施形態に限定されるものではなく、特許請求の範囲に記載された本発明の精神を逸脱しない範囲で、設計において種々の変更ができるものである。
【００３０】
【発明の効果】
以上の説明から理解されるように、本発明の調圧装置は、製造時の加工誤差、組立誤差、あるいは使用時の経年変化等に起因して調圧弁の調圧値が設定値からずれても、分解、再組立等を必要とすることなく、調圧弁の調圧値が所定の設定値となるように、容易に調節することができる。
【図面の簡単な説明】
【図１】本発明に係る調圧装置の一実施形態を示す断面図。
【図２】図１のII−II矢視断面図。
【図３】図１に示される実施形態の回動操作部材を示し、（Ａ）は部分切欠斜視図、（Ｂ）は断面図。
【図４】従来例の調圧装置を示す断面図。
【図５】図４のＶ−Ｖ矢視断面図。
【符号の説明】
７  余液ポート（調圧ポート）
１０  調圧装置
１１  調圧弁
１５  弁体
１７  圧縮コイルばね（付勢部材）
２０  弁ケース部材（固定側部材）
３０  摺動子
３２  先端部
４０  回動軸部材
４３  雄ねじ部
５０  回動操作部材
５５  偏心カム
５６  雌ねじ部
６１、６２、６３  凹溝（押圧作用面）
Ｏ−Ｏ  回動軸線
Ｐ      押圧作用点
【図１】
0004146100.tif 000002
【図２】
0004146100.tif 000003
【図３】
0004146100.tif 000004
【図４】
0004146100.tif 000005
【図５】
0004146100.tif 000006